(57)【要約】【課題】レーザビームを走査して写真感光材料上に画像を露光形成する写真プリント装置において、形成画像の画像品質を可及的に向上させる。【解決手段】写真感光材料ＰＳ上にレーザビームＬＢを走査して画像を露光形成する露光ヘッド１１と、その露光ヘッド１１の動作を管理する露光管理手段ＥＭとが設けられた写真プリント装置において、前記露光管理手段ＥＭは、テストプリントにより得られた前記写真感光材料ＰＳ上での濃度と露光量との関係における傾きの変化を検出して、その傾きの変化の検出情報に基づいて高濃度領域における不正常露光の発生の有無を推定し、前記不正常露光が発生すると判断したときに、前記レーザビームＬＢの走査速度を低下させると共に、そのレーザビームＬＢの走査速度に適合して所望のプリント濃度が得られるように前記レーザビームＬＢの光強度を低下させるように構成されている。【選択図】図１
2006106366.tif 000002
【特許請求の範囲】
【請求項１】
写真感光材料上にレーザビームを走査して画像を露光形成する露光ヘッドと、その露光ヘッドの動作を管理する露光管理手段とが設けられた写真プリント装置であって、
前記露光管理手段は、テストプリントにより得られた前記写真感光材料上での濃度と露光量との関係における傾きの変化を検出して、その傾きの変化の検出情報に基づいて不正常露光の発生の有無を推定し、前記不正常露光が発生すると判断したときに、前記レーザビームの走査速度を低下させると共に、そのレーザビームの走査速度に適合して所望のプリント濃度が得られるように前記レーザビームの光強度を低下させるように構成されている写真プリント装置。
【請求項２】
前記露光ヘッドの画像形成位置を経由して前記写真感光材料を搬送駆動する搬送手段が備えられ、
前記露光ヘッドは、前記搬送手段にて搬送されている前記写真感光材料に対して、前記写真感光材料の搬送方向と略直交する方向に前記レーザビームを走査して画像を露光形成するように構成され、
前記搬送手段は、前記不正常露光が発生すると判断したときに、前記レーザビームの走査速度の低下と連動して、前記写真感光材料の搬送速度を低下させるように構成されている請求項１記載の写真プリント装置。
【請求項３】
前記露光管理手段は、仮想的に縦軸に前記写真感光材料上での濃度をとり横軸に前記露光量をとったときの、前記露光量の増加に対する前記写真感光材料上での濃度の変化の特性の傾きが、高濃度領域において一旦小さくなり、その後再び大きくなったときに、前記不正常露光が発生すると判断するように構成されている請求項１又は２記載の写真プリント装置。
【請求項４】
写真感光材料上にレーザビームを走査して画像を露光形成する露光ヘッドが設けられた写真プリント装置において前記露光ヘッドの動作条件を設定する写真プリント装置用の露光条件設定方法であって、
テストプリントにより得られた前記写真感光材料上での濃度と露光量との関係における傾きの変化を検出して、その傾きの変化の検出情報に基づいて高濃度領域における不正常露光の発生の有無を推定し、前記不正常露光が発生すると判断したときに、前記レーザビームの走査速度を低下させると共に、そのレーザビームの走査速度に適合して所望のプリント濃度が得られるように前記レーザビームの光強度を低下させる写真プリント装置用の露光条件設定方法。
【発明の詳細な説明】
【技術分野】
【０００１】
本発明は、写真感光材料上にレーザビームを走査して画像を露光形成する露光ヘッドと、その露光ヘッドの動作を管理する露光管理手段とが設けられた写真プリント装置、及び、前記露光ヘッドの動作条件を設定する写真プリント装置用の露光条件設定方法に関する。
【背景技術】
【０００２】
かかる写真プリント装置では、写真プリントを作製する画像の画像データに基づいて、レーザビームによる露光量を制御して、写真感光材料上に画像を露光形成する。
この場合において、レーザビームによる露光量と写真感光材料上で表現される濃度との関係が重要であり、一般に、テストプリントを作製して両者の対応関係を調整することが行われている。
写真感光材料上の濃度と露光量との関係を考慮した技術としては、例えば、下記特許文献１に記載のように、使用する写真感光材料の感度に応じてレーザビームの走査速度を設定変更する技術も考案されている。
【特許文献１】特開２００２−２６８１５０号公報
【発明の開示】
【発明が解決しようとする課題】
【０００３】
しかしながら、写真感光材料の種類によっては、写真感光材料上の濃度と露光量との関係を単純に評価しただけでは、高濃度領域においてにじみや色バランスのずれが発生してしまい、画像品質が低下してしまう場合があった。より具体的には、高濃度の細線の画像を形成したとき、その細線の周囲に色がにじみ出ると共に、色ずれがを発生してしまうのである。このような不正常な露光が発生してしまう写真感光材料は、画質を重視する観点からは、使用を推奨できないものとなっていた。
本発明は、かかる実情に鑑みてなされたものであって、その目的は、レーザビームを走査して写真感光材料上に画像を露光形成する写真プリント装置において、形成画像の画像品質を可及的に向上させる点にある。
【課題を解決するための手段】
【０００４】
本出願の第１の発明は、写真感光材料上にレーザビームを走査して画像を露光形成する露光ヘッドと、その露光ヘッドの動作を管理する露光管理手段とが設けられた写真プリント装置において、前記露光管理手段は、テストプリントにより得られた前記写真感光材料上での濃度と露光量との関係における傾きの変化を検出して、その傾きの変化の検出情報に基づいて不正常露光の発生の有無を推定し、前記不正常露光が発生すると判断したときに、前記レーザビームの走査速度を低下させると共に、そのレーザビームの走査速度に適合して所望のプリント濃度が得られるように前記レーザビームの光強度を低下させるように構成されている。
【０００５】
すなわち、同じ種類の写真感光材料を使用していても、比較的に光エネルギー密度の小さいＰＬＺＴ光シャッタ方式の露光装置では、上述のようなにじみや色バランスのずれといった問題は発生せず、光エネルギー密度の大きいレーザビームを走査して画像を露光形成するレーザビーム露光式の露光装置において特有に発生する。
これは、積算露光量が同一であっても露光時間の違いによって写真感光材料上に現れる濃度が実質的に異なることを意味しており、現象としては高濃度領域でいわゆる相反則不帰（相反則不軌）が発生していることになる。
【０００６】
このような相反則不帰に相当する不正常露光が発生するケースでは、レーザビームを走査して画像を露光形成しても相反則不帰が発生せずに正常に露光できる種類の写真感光材料の場合と比較して、露光量と写真感光材料上での濃度との関係を詳細に測定すると、その特性の傾きの変化の仕方が特徴的に異なっている。
そこで、テストプリントにより得られた写真感光材料上での濃度と露光量との関係における傾きの変化を検出し、その傾きの変化の検出情報に基づいて、高濃度領域での相反則不帰に相当する不正常露光の発生の有無を推定し、不正常露光が発生するようであれば、適した光強度のレーザビームを用いて相対的に低速の走査速度で走査して画像を露光形成し、上記の不正常露光の発生を回避するのである。
【０００７】
又、本出願の第２の発明は、上記請求項１記載の構成に加えて、前記露光ヘッドの画像形成位置を経由して前記写真感光材料を搬送駆動する搬送手段が備えられ、前記露光ヘッドは、前記搬送手段にて搬送されている前記写真感光材料に対して、前記写真感光材料の搬送方向と略直交する方向に前記レーザビームを走査して画像を露光形成するように構成され、前記搬送手段は、前記不正常露光が発生すると判断したときに、前記レーザビームの走査速度の低下と連動して、前記写真感光材料の搬送速度を低下させるように構成されている。
すなわち、搬送手段によって写真感光材料を副走査方向に搬送しながら、レーザビームを副走査方向と直交する主走査方向に走査して画像を露光形成する一般的な露光形式の写真プリント装置において、写真感光材料の搬送速度をレーザビームの走査速度の低下と連動して低下させることで、高速に走査して露光する場合と共通の画像データをそのまま活用することが可能となる。
【０００８】
又、本出願の第３の発明は、上記第１又は第２の発明の構成に加えて、前記露光管理手段は、仮想的に縦軸に前記写真感光材料上での濃度をとり横軸に前記露光量をとったときの、前記露光量の増加に対する前記写真感光材料上での濃度の変化の特性の傾きが、高濃度領域において一旦小さくなり、その後再び大きくなったときに、前記不正常露光が発生すると判断するように構成されている。
すなわち、写真感光材料上での濃度と露光量との関係における傾きの変化の具体的な評価手法として、仮想的に縦軸に前記写真感光材料上での濃度をとり横軸に前記露光量をとったときの、前記露光量の増加に対する前記写真感光材料上での濃度の変化の特性の傾きが、高濃度領域において一旦小さくなり、その後再び大きくなったときを、相反則不帰に相当する不正常露光が発生するものとして検出するのである。
【０００９】
又、本出願の第４の発明は、写真感光材料上にレーザビームを走査して画像を露光形成する露光ヘッドが設けられた写真プリント装置で前記露光ヘッドの動作条件を設定する写真プリント装置用の露光条件設定方法において、テストプリントにより得られた前記写真感光材料上での濃度と露光量との関係における傾きの変化を検出して、その傾きの変化の検出情報に基づいて高濃度領域における不正常露光の発生の有無を推定し、前記不正常露光が発生すると判断したときに、前記レーザビームの走査速度を低下させると共に、そのレーザビームの走査速度に適合して所望のプリント濃度が得られるように前記レーザビームの光強度を低下させる。
すなわち、レーザビームを走査して画像を露光形成しても相反則不帰が発生せずに正常に露光できる種類の写真感光材料と、高濃度領域で相反則不帰が発生する種類の写真感光材料とを比較すると、露光量と写真感光材料上での濃度との関係を詳細に測定した場合に、その特性の傾きの変化の仕方が特徴的に異なるという知見に基づき、実際に各写真感光材料をテストプリントすることにより得られた写真感光材料上での濃度と露光量との関係における傾きの変化を検出し、その傾きの変化の検出情報に基づいて、高濃度領域での相反則不帰に相当する不正常露光の発生の有無を推定し、不正常露光が発生するようであれば、比較的に弱い光強度のレーザビームでゆっくりと画像を露光形成して、上記の不正常露光の発生を回避するのである。
【発明の効果】
【００１０】
上記第１の発明によれば、高濃度領域での相反則不帰に相当する不正常露光が発生するようであれば、比較的に弱い光強度のレーザビームでゆっくりと画像を露光形成して、不正常露光の発生を回避できるので、レーザビームを走査して写真感光材料上に画像を露光形成する写真プリント装置において、形成画像の画像品質を可及的に向上させることができる。
又、上記第２の発明によれば、露光用のレーザビームの光強度を低下させる場合でも、光強度の強いレーザビームで高速に露光する場合と共通の画像データをそのまま活用することが可能となるので、装置構成の簡素化を図ることができる。
又、上記第３の発明によれば、相反則不帰に相当する不正常露光の発生を的確に推定して、形成画像の画像品質を可及的に向上させることができる。
又、上記第４の発明によれば、高濃度領域での相反則不帰に相当する不正常露光が発生するようであれば、比較的に弱い光強度のレーザビームでゆっくりと画像を露光形成して、不正常露光の発生を回避できるので、レーザビームを走査して写真感光材料上に画像を露光形成する写真プリント装置において、形成画像の画像品質を可及的に向上させることができる。
【発明を実施するための最良の形態】
【００１１】
以下、本発明の写真プリント装置の実施の形態を図面に基づいて説明する。
本実施の形態で例示する写真プリント装置ＤＰは、いわゆるデジタルミニラボと称されるシステムを構成するものであり、図２の概略構成図に示すように、写真フィルムやメモリーカードから画像を取込む画像入力装置ＩＲと、画像入力装置ＩＲにて取込んだ画像に基づいて写真感光材料ＰＳとしての印画紙２に画像を露光形成する画像露光装置ＥＰとから構成されている。
【００１２】
〔画像入力装置ＩＲの概略構成〕
画像入力装置ＩＲには、写真フィルムの駒画像を読取ってデジタル画像データとして出力するフィルムスキャナ３と、各種仕様のメモリーカードリーダ／ライタや読み書き可能型の光学ドライブ等を備えて各種の記録媒体からの画像データの取込みや書込みを行う外部入出力装置４と、露光条件を設定するために作製したテストプリントを測色する測色装置５と、これら各部を制御すると共に写真プリント装置ＤＰ全体の動作を管理する主制御装置６とが備えられ、主制御装置６には、仕上がりプリントをシミュレートしたシミュレート画像や各種の設定情報等を表示するためのモニタ６ａと、各種の設定情報を入力操作するための操作卓６ｂとが接続されている。
【００１３】
〔画像露光装置ＥＰの全体構成〕
画像露光装置ＥＰには、図２に示すように、筐体内部に、印画紙２に画像を露光形成する露光ヘッド１１と、露光ヘッド１１を駆動制御する露光制御装置１２と、露光ヘッド１１にて露光された印画紙２を現像処理する現像処理装置１３と、印画紙２をロール状に収納する印画紙マガジン１４から引き出された印画紙２を露光ヘッド１１による画像形成位置を経由して現像処理装置１３へ搬送するために多数の搬送ローラ２１ａ，２１ｂ，２１ｃ，２１ｄ及びこれらを回転駆動する搬送モータ２２等を備えて構成される搬送手段ＰＴとが備えられ、搬送手段ＰＴによる印画紙２の搬送経路における露光ヘッド１１の画像形成位置よりも搬送方向上流側には、長尺の印画紙２を設定プリントサイズに切断するためのカッタ２３と、設定プリントサイズに切断された印画紙２を複数の搬送列に振分けるための振分け装置２４とが配置されている。
図示を省略するが、画像露光装置ＥＰの筐体外部には、現像処理装置１３にて現像された印画紙２をオーダ毎にまとめて一時的に保存するためのソータが備えられ、現像処理装置１３にて現像処理及び乾燥処理された印画紙２は、そのソータへ印画紙２を搬送するコンベア２５上に排出される。
【００１４】
〔露光ヘッド１１の構成〕
露光ヘッド１１は、複数色（具体的には、赤色，緑色及び青色）の独立したレーザ光源を備えて、それらのレーザ光源から出射されるレーザビームを走査して印画紙２上に画像を露光形成するいわゆるレーザビーム露光式を採用しており、その概略構成を図１のブロック構成図に示す。
露光ヘッド１１には、赤色，緑色及び青色のレーザビームを夫々出射する赤色レーザ光源３０ｒ，緑色レーザ光源３０ｇ及び青色レーザ光源３０ｂと、各レーザ光源３０ｒ，３０ｇ，３０ｂの出射光を強度変調するための音響光学変調素子３１（以下、「ＡＯＭ素子３１」と略称する）と、レーザビームの光路を屈曲させるミラー３２と、球面レンズ３３と、シリンドリカルレンズ３４と、図示を省略するモータにて回転駆動されるポリゴンミラー３５と、ポリゴンミラー３５を回転駆動するモータ３５ａと、ｆ−θ特性と面倒れ補正機能とを有するレンズ群３６とが備えられている。。露光ヘッド１１は、レーザビームＬＢの走査方向（主走査方向）が印画紙２の搬送方向（副走査方向）と直交する方向となるように配置されている。
【００１５】
〔露光制御装置１２の構成〕
露光制御装置１２には、図１に概略的に示すように、主制御装置６から入力されるプリント用の画像データを赤色，緑色及び青色の各色毎に記憶する画像データメモリ４２と、画像データメモリ４２の出力データをレーザビームＬＢの光エネルギーに対応するデータに変換するルックアップテーブル４１と、赤色，緑色及び青色の各色毎に備えられてルックアップテーブル４１の出力データをＤ／Ａ変換するＤ／Ａコンバータ４３と、Ｄ／Ａコンバータ４３からの入力信号に応じた振幅を有する制御信号をＡＯＭ素子３１に出力するＡＯＭ制御回路４４と、Ｄ／Ａコンバータ４３からＡＯＭ制御回路４４に送る信号の切替えタイミングを制御するタイミング制御回路４５と、ポリゴンミラー３５のモータ３５ａを制御するポリゴン用モータ制御回路４６と、印画紙２を搬送駆動する搬送手段ＰＴの搬送モータ２２を制御するための搬送モータ制御回路４７と、詳しくは後述するがポリゴン用モータ制御回路４６や搬送モータ制御回路４７等を制御する走査速度制御部４８とが備えられている。
ルックアップテーブル４１の出力データは上述のようにレーザビームＬＢの光エネルギーに対応するデータであるが、厳密には、ＡＯＭ素子３１における回折率（いわば、光の透過率）を規定するデータである。
【００１６】
〔プリント動作の概要〕
次に、上記構成の写真プリント装置ＤＰによるプリント動作を概略的に説明する。
フィルムスキャナ３にて写真フィルムの駒画像が読み取られて、その読取り画像データが主制御装置６に入力されるか、あるいは、メモリーカード等の記録媒体に記録された画像データが外部入出力装置４にて読取られて主制御装置６に入力されると、主制御装置６は、その画像データに基づいて写真プリントを作製したときに得られるであろう画像をシミュレート演算により求めてモニタ６ａに表示する。
操作者は、モニタ６ａに表示されたシミュレート画像を観察して、適宜に露光条件の補正入力を操作卓６ｂから行う。
主制御装置６は、操作卓６ｂから補正入力があると、その指示に基づいて露光条件を補正演算して露光用の画像データを生成し、その画像データを露光制御装置１２へ送る。
露光制御装置１２は、受け取った露光用の画像データを画像データメモリ４２へ書込む。
印画紙２の搬送速度及びレーザビームＬＢの走査速度と連動して、タイミング制御回路４５が信号の送出を指示すると、画像データメモリ４２からデータが送り出されて、ルックアップテーブル４１にてデータ変換された後、そのデータがＤ／Ａコンバータ４３にてアナログ信号に変換され、更に、ＡＯＭ制御回路４４にてＡＯＭ素子３１駆動用の信号に変換された後に露光ヘッド１１へ出力される。
これによって、露光ヘッド１１の画像形成位置を搬送される印画紙２に対して、画像が潜像として露光形成される。
露光ヘッド１１にて露光処理された印画紙２は、現像処理装置１３にて現像処理及び乾燥処理されて写真プリントとして仕上げられた後、排出口からコンベア２５上に排出される。
【００１７】
〔テストプリントによる装置調整の概略説明〕
次にテストプリントによる露光条件の調整について説明する。
この露光条件の調整作業は、新たな印画紙マガジン１４を装填する度毎に実行される。
このテストプリントを作製しての露光条件の調整作業は、主制御装置６の制御により実行される。
以下、主制御装置６が実行する図３のフローチャートに基づいて、露光条件の調整作業を説明する。
先ず無彩色の濃度階調パターンを有するテストプリントを作製する（ステップ＃１）。
作製したテストプリントを操作者が測色装置５にセットすると自動的にそのテストプリントの測色が行われる。
測色装置５は、赤色レーザビームに対応する発色であるシアンの濃度測定値と、緑色レーザビームに対応する発色であるマゼンタの濃度測定値と、青色レーザビームに対応する発色であるイエローの濃度測定値とを、各濃度階調段階について出力する。
【００１８】
このテストプリントの測色結果が測色装置５から主制御装置６へ入力されると（ステップ＃２）、主制御装置６では、各濃度階調段階に対応する出力階調値と対応付けることにより、図４に示すような測色装置５の測定値と出力階調値（すなわち、露光量）との関係が得られることになる。尚、図４では、ルックアップテーブル４１の出力が８ビットで出力階調が０〜２５５の２５６階調とした場合の測定例を例示している。
主制御装置６は、入力された各濃度階調段階の測定濃度データについて、隣り合う濃度階調段階の測定濃度データの差を夫々の濃度測定データに対応する出力階調値の対数値の差で除算することにより、濃度測定データと出力階調値（露光量）との関係における傾きを求める（ステップ＃３）。
【００１９】
次に、求めた傾きデータから、不正常露光の発生の有無すなわち相反則不帰が発生しているか否かを判定する（ステップ＃４）。
すなわち、仮想的に縦軸に濃度測定データをとり横軸に出力階調（露光量）の対数値をとったときの、出力階調（対数値）の増加に対する濃度測定データの変化の特性の傾きが、高濃度領域において一旦小さくなり、その後再び大きくなったときに、相反則不帰が発生しているものと判定する。
具体的な処理としては、ステップ＃３で求めた傾きのデータにおいて、高濃度領域において、傾きが３以下で、濃度の増加（あるいは出力階調の増加）に対して連続的に０．３以上増加すれば、相反則不帰が発生していると判定する。
【００２０】
これは、図５に示すように、ステップ＃３で求めた傾きを濃度測定データに対してプロットしたときに、１点鎖線Ａで示すような変化をしている部分の存否を特定する処理となっている。
尚、このステップ＃３及びステップ＃４の処理は、全ての色について行っても良いが、どの色について相反則不帰が発生し易いかが予めわかっているときは、その相反則不帰が発生し易い色のみについて行うようにしても良い。
ステップ＃４の処理で相反則不帰が発生していると判定したときは（ステップ＃５）、露光制御装置１２の走査速度制御部４８に対してレーザビームＬＢの走査速度を標準状態から低下させるように指令する（ステップ＃６）。
【００２１】
走査速度制御部４８は、このレーザビームの走査速度の低下指令を受け取ると、予め設定されている速度までポリゴンミラー３５の回転速度を低下させるようにポリゴン用モータ制御回路４６に指示し、その走査速度の低下に連動してＤ／Ａコンバータ４３からの信号出力タイミングの繰り返し周波数を低下させるようにタイミング制御回路４５に指示し、それらに連動して印画紙２の搬送速度を低下させるように搬送モータ制御回路４７に指示し、更に、各レーザ光源３０ｒ，３０ｇ，３０ｂに対して出射レーザビームの光強度を低下させるように指示する。
このように各速度を低下させる場合における、その低下の程度は、標準の光強度のレーザビームＬＢでの露光では上述のような相反則不帰が発生し易い種類の印画紙２であっても、相反則不帰が発生しない程度にまで十分に低下した光強度のレーザビームＬＢとなり、その弱い光強度のレーザビームＬＢでも十分な濃度が得られる露光時間を確保できるレーザビームＬＢの走査速度となる条件を予め実験により求めておく。尚、印画紙２の搬送速度は、レーザビームＬＢの走査速度の低下と連動して低下させる。
以上のようにして露光条件を調整した後、複数階調段階の濃度ステップのテストプリントを作製して、各濃度ステップが所望の濃度となるようにルックアップテーブル４１のデータを精密に調整するセットアップ作業を行う（ステップ＃７）。
以上から、主制御装置６は、露光制御装置１２と共に、露光ヘッド１１の動作を管理する露光管理手段ＥＭとして機能する。
【００２２】
〔別実施形態〕
以下、本発明の別実施形態を列記する。
（１）上記実施の形態では、写真プリント装置ＤＰに新しい写真感光材料ＰＳをセットする度に、その写真感光材料ＰＳについて、不正常露光（相反則不帰）の発生の有無を推定する処理を行う場合を例示しているが、使用を想定している各種類の写真感光材料ＰＳについて、予め、上記の不正常露光の発生の有無（相反則不帰の発生の有無）を推定すると共に、不正常露光が発生すると推定した写真感光材料ＰＳの種類毎にレーザビームＬＢの走査速度等の標準状態から低下させる程度を実験的に求めて、それらのデータを記憶保持しておき、不正常露光が発生すると推定した写真感光材料ＰＳがセットされたときに、その写真感光材料ＰＳの種類のデータとして記憶保存されているレーザビームＬＢの走査速度等のデータを読出して、適用するように構成しても良い。
（２）上記実施の形態では、露光ヘッド１１において、レーザビームＬＢをポリゴンミラー３５にて主走査方向に走査する構成を例示しているが、レーザビームＬＢの走査手法は、ホログラムスキャナ等の他の走査形式を適用しても良いし、更には、レーザビームＬＢを２次元に走査する機構を備えて、静止状態の写真感光材料ＰＳに画像を露光形成する構成としても良い。
（３）上記実施の形態では、前記不正常露光を発生する写真感光材料ＰＳに対して、レーザビームＬＢの光強度を低下させる際に、レーザ光源３０ｒ，３０ｇ，３０ｂの出射レーザ光の光強度を低下させる場合を例示しているが、例えば、ＡＯＭ制御回路４４に、入力アナログ信号のうちの何パーセントを出力信号の変調に利用するかを設定変更できる機能を備えて、それを設定変更することによりレーザビームＬＢの光強度を低下させる等、レーザビームＬＢの光強度を低下させるための手法は種々に変更可能である。
（４）上記実施の形態では、写真感光材料ＰＳとして印画紙２を例示しているが、例えば感光フィルム等の種々の写真感光材料ＰＳに画像を露光形成する場合に本発明を適用できる。
（５）上記実施の形態では、露光条件を調整するためのテストプリントとして、無彩色の階調パターンをプリントする場合を例示しているが、カラーチャートのテストプリントを作製して露光条件の調整（レーザビームＬＢの走査速度の調整等）を行うようにしても良い。
【図面の簡単な説明】
【００２３】
【図１】本発明の実施の形態にかかる要部概略構成図
【図２】本発明の実施の形態にかかる写真プリント装置の概略構成図
【図３】本発明の実施の形態にかかるフローチャート
【図４】本発明の実施の形態にかかる不正常露光の発生を示すデータの例示図
【図５】本発明の実施の形態にかかる不正常露光の発生を示すデータの例示図
【符号の説明】
【００２４】
１１  露光ヘッド
ＥＭ  露光管理手段
ＬＢ  レーザビーム
ＰＳ  写真感光材料
ＰＴ  搬送手段
【図１】
2006106366.tif 000003
【図２】
2006106366.tif 000004
【図３】
2006106366.tif 000005
【図４】
2006106366.tif 000006
【図５】
2006106366.tif 000007